(57)【要約】      （修正有）【課題】旧ユニットバスより脱衣室側にサイズアップした新ユニットバスに交換して広い浴室にリフォームする場合において、旧ユニットバスが収容されていた周囲の建物壁を略残した状態で利用できて、施工期間を短縮でき、かつ、施工コストを低減できる間仕切り壁の構造およびこの間仕切り壁を備えたリフォーム浴室の施工方法を提供する。【解決手段】旧ユニットバスを撤去して残った脱衣室と浴室との間の間仕切り壁Ａの下端側のみを切除し、垂れ壁２２１を形成するとともに、新ユニットバスの脱衣室側へのサイズアップ分だけ脱衣室の床の一部を切除し、新ユニットバスを旧ユニットバスの撤去部と床の切除部に嵌り込むように設置する一方、垂れ壁２２１と、ユニット本体２ａと、左右一対の隙間調整材５ａと、上重合材３ａと、左右一対の縦重合材４ａを備えるユニット化された間仕切りユニット1ａを用いて新しい間仕切り壁Ａを形成する。【選択図】図１
2015206257.tif 000002
【特許請求の範囲】
【請求項１】
建物躯体のユニットバス設置部と、脱衣室側とを新しく仕切る間仕切り壁であって、
既存のユニットバスと前記脱衣室の既存の間仕切り壁を利用して形成された建物垂れ壁と、間仕切りユニットを用いて形成され、
前記間仕切りユニットは、ユニット本体と、左右一対の隙間調整材と、上重合材と、左右一対の縦重合材を備え、
前記ユニット本体が、脱衣室側からみたとき、前記建物垂れ壁との間および前記脱衣室の両内壁との間に隙間を形成するように立設され、
前記隙間調整材が、上下方向に長い板状をした隙間調整材本体部と、この隙間調整材本体部の幅方向の一側に設けられた壁固定部を有し、前記隙間調整材本体部と前記ユニット本体の前記脱衣室の内壁に向かう側面との間に隙間が形成されるように、前記壁固定部が前記内壁の浴室側端縁に沿って固定され、
前記縦重合材が、ユニット本体固定部と、縦重合部を有し、
前記縦重合部が前記隙間調整材本体部の脱衣室側の面に少なくとも床面から前記建物垂れ壁下端までの長さ分重合するように、ユニット本体固定部がユニット本体に固定され、
前記上重合材が、上重合材本体を有し、この上重合材本体が、前記建物垂れ壁の脱室側の面に受けられた状態でユニット本体の上端部に固定されていることを特徴とする間仕切り壁。
【請求項２】
縦重合部と隙間調整材本体部の脱衣室側の面との間に緩衝材を備えている請求項１に記載の間仕切り壁。
【請求項３】
建物垂れ壁の脱衣室側の面との間に上部開口を有する隙間を形成する受け金具を備えるとともに、前記上重合材の上重合材本体が、上重合部とこの上重合部の背面側に下方に延出する壁当接部を有し、この壁当接部が前記上部開口から隙間内に係合している請求項１または請求項２に記載の間仕切り壁。
【請求項４】
受け金具が、ユニットバスのスタッドあるいはスタッド間を接続するユニットバスの横桟材に下端部を固定されている請求項３に記載の間仕切り壁。
【請求項５】
ユニット本体が、少なくとも１つの枠部とこの枠部の内側を塞ぐように配置される面材を有し、前記枠部が、ユニットバスの防水パン上に立設されたスタッドおよびスタッド間を接続する横桟材のいずれかに固定されている請求項１〜請求項４のいずれかに記載の間仕切り壁。
【請求項６】
ユニット本体が、ドア枠部と、間仕切り枠部を有し、このドア枠部と間仕切り枠部が水平方向に隙間を形成するように立設され、方立材の方立部が、ドア枠部と間仕切り枠部に跨るように配置されるとともに、前記ドア枠部と間仕切り枠部の隙間に方立材の嵌合爪部が嵌着されて方立が形成されている請求項１〜請求項５のいずれかに記載の間仕切り壁。
【請求項７】
方立部が、ユニットバス内への入退時の手掛かり部を有する脱衣室側に凸となる湾曲した横断面形状をしている請求項６に記載の間仕切り壁。
【請求項８】
請求項１〜請求項７のいずれかに記載の間仕切り壁を備えたリフォーム浴室の施工方法であって、
既存のユニットバスが収容されていたユニットバス収容空間を形成する周囲の建物壁のうち、浴室と脱衣室を仕切っていた既存間仕切り壁を除く部分を少なくとも非破壊状態で撤去する旧ユニットバス撤去工程と、
前記既存のユニットバスを撤去することによって残った脱衣室と浴室との間を仕切っていた既存の間仕切り壁の下側を、前記既存の間仕切り壁に直交する脱衣室の両内壁とのコーナーに達するまで切除して建物垂れ壁を形成する垂れ壁形成工程と、
既存のユニットバスよりサイズアップされた新しいユニットバスの脱衣室側への張り出し長さに応じて脱衣室の既存床の床材の浴室側端縁部を切断除去する床材切除工程と、
新しいユニットバスの防水パンの脱衣室側端部が、前記床材切除工程で切除された部分に嵌り込んだ状態に施工する工程を含む新ユニットバス組立て工程と、
前記建物垂れ壁と、間仕切りユニットを用いて間仕切り壁を形成する間仕切り壁形成工程を備えていることを特徴とするリフォーム浴室の施工方法。
【請求項９】
床材切除工程の前に床材の切除予定線より脱衣室側で前記切除予定線に沿うように、支持部材によって支持された新たな大引きによって床材を下方から支える請求項８に記載のリフォーム浴室の施工方法。
【請求項１０】
請求項１〜請求項７のいずれかに記載の間仕切り壁を備えたリフォーム浴室の施工方法であって、
既存のユニットバスが収容されていたユニットバス収容空間を形成する周囲の建物壁のうち、浴室と脱衣室を仕切っていた既存間仕切り壁を除く部分を少なくとも非破壊状態で撤去する旧ユニットバス撤去工程と、
前記既存のユニットバスを撤去することによって残った脱衣室と浴室との間を仕切っていた既存の間仕切り壁の下側を、前記既存の間仕切り壁に直交する脱衣室の両内壁とのコーナーに達するまで切除して建物垂れ壁を形成する垂れ壁形成工程と、
前記ユニットバス収容空間に設置される新しいユニットバスの脱衣室側端に適合するように、脱衣室床をユニットバス収容空間側に拡張する床拡張工程と、
新しいユニットバスの防水パンの脱衣室側端部が、床拡張工程で拡張された脱衣室床との間にドア枠設置空間を形成するように施工する工程を含む新ユニットバス組立て工程と、
前記建物垂れ壁と、間仕切りユニットを用いて間仕切り壁を形成する間仕切り壁形成工程を備えていることを特徴とするリフォーム浴室の施工方法。
【請求項１１】
間仕切り壁形成工程は、ユニット本体を、脱衣室側からみたとき、上端と建物垂れ壁との間および幅方向の両側と前記脱衣室の両内壁との間に隙間を形成するように立設し、
上下方向に長い板状をした隙間調整材本体部と、この隙間調整材本体部の幅方向の一側に設けられた壁固定部を有する隙間調整材を、脱衣室側からみたとき、前記隙間調整材本体部と前記ユニット本体の前記内壁に向かう側面との間に隙間が形成されるように、前記壁固定部を前記内壁の浴室側端縁に沿って固定し、
ユニット本体固定部と縦重合部を有する縦重合材を、前記縦重合部が前記隙間調整材本体部の脱衣室側の面に少なくとも床面から前記建物垂れ壁下端までの長さ分重合するように、前記ユニット本体固定部をユニット本体に固定したのち、
上重合材の上重合材本体をユニット本体の上端部に固定する請求項８〜請求項１０のいずれかに記載のリフォーム浴室の施工方法。
【請求項１２】
縦重合部を隙間調整材本体部に重合させる前に重合部の隙間調整材本体部側の面に緩衝材を固着させておく請求項１１に記載のリフォーム浴室の施工方法。
【請求項１３】
ユニット本体の枠部を、新しいユニットバスの防水パン上に立設されたスタッドおよびスタッド間を接続する横桟材のいずれかにユニット本体の枠部を固定する請求項８〜請求項１２のいずれかに記載のリフォーム浴室の施工方法。
【発明の詳細な説明】
【技術分野】
【０００１】
本発明は、既存のユニットバス（以下、「旧ユニットバス」と記す）を撤去し、この旧ユニットバスを撤去した後に、旧ユニットバスよりも脱衣室側方向にサイズアップした新しいユニットバスを設置して大きな浴室にリフォームしたリフォーム浴室と、脱衣室とを新しく間仕切る、あるいは、旧ユニットバスと同サイズ程度の新しいユニットバスを設置したときに、脱衣室の床を拡張するように間仕切ることができる間仕切り壁の構造および、この間仕切り壁が用いられるリフォーム浴室の施工方法に関する。
【背景技術】
【０００２】
旧ユニットバスが老朽化して、新しいユニットバス（以下、「新ユニットバス」と記す）に交換する必要が生じた場合、旧ユニットバスよりサイズが大きい新ユニットバスを用いて、浴槽や洗い場面積の大きな浴室とするように、浴室をリフォームすることが、ユニットバスの交換と同時に行われることがある。
【０００３】
しかし、旧ユニットバスに比べ、大きなサイズの新ユニットバスを設置しようとすると、一般的に、浴室と脱衣室との間仕切り壁および間仕切り壁近傍の脱衣室側壁や天井の一部を取り除く工事が必要である。そして、脱衣室側壁や天井の一部を取り除いた場合、復旧のため、石膏ボード、壁紙やクロスなど張替え作業等の余分な作業やそれにかかる費用も増えるという問題がある。
しかも、上記の浴室の改修程度の部分的なリフォームの場合、通常、住民が居住した状況で行われることが多く、できるだけ工事の短期化が望まれる。
【０００４】
一方、できるだけ既存の建物内壁や躯体の取り除きを少なくできるように、浴室設置スペースが、脱衣室との間の、建築躯体の土台上の仕切りスペースまで延長され、この仕切りスペースを含んで形成され、又、仕切りスペースに配置される壁パネルは背面側が化粧壁に形成され、この化粧壁を脱衣室に臨ませて設けられていることを特徴とするスペース拡張型浴室が提案されている（特許文献１）。
【先行技術文献】
【特許文献】
【０００５】
【特許文献１】特許第3491611号公報
【発明の概要】
【発明が解決しようとする課題】
【０００６】
すなわち、上記先に提案されたスペース拡張型浴室は、ドアおよび脱衣室と浴室とを仕切り化粧壁を支持する枠部材を脱衣室側に出っ張るように拡張し、ドアや化粧壁を枠部材の脱衣室側で支持して、浴室スペースを拡げるようにしている。
しかし、上記構造では、洗い場パンや浴槽パンを大きなものにすることができない。すなわち、洗い場まで拡張することができず、実質的な浴室空間を拡げるようなリフォームはできない。
【０００７】
本発明は、上記事情に鑑みて、旧ユニットバスより脱衣室側にサイズアップした新ユニットバスに交換して広い浴室にリフォームする場合、あるいは、脱衣室の床面積を拡張する場合において、旧ユニットバスが収容されていた周囲の建物壁を略残した状態で利用できて、施工期間を短縮でき、かつ、施工コストを低減できる間仕切り壁の構造およびこの間仕切り壁を備えたリフォーム浴室の施工方法を提供することを目的としている。
【課題を解決するための手段】
【０００８】
上記目的を達成するために、本発明にかかる間仕切り壁（以下、「本発明の間仕切り壁」と記す）は、建物躯体のユニットバス設置部と、脱衣室側とを新しく仕切る間仕切り壁であって、既存のユニットバスと前記脱衣室の既存の間仕切り壁を利用して形成された建物垂れ壁と、間仕切りユニットを用いて形成され、前記間仕切りユニットは、ユニット本体と、左右一対の隙間調整材と、上重合材と、左右一対の縦重合材を備え、前記ユニット本体が、脱衣室側からみたとき、前記建物垂れ壁との間および前記脱衣室の両内壁との間に隙間を形成するように立設され、前記隙間調整材が、上下方向に長い板状をした隙間調整材本体部と、この隙間調整材本体部の幅方向の一側に設けられた壁固定部を有し、前記隙間調整材本体部と前記ユニット本体の前記脱衣室の内壁に向かう側面との間に隙間が形成されるように、前記壁固定部が前記内壁の浴室側端縁に沿って固定され、前記縦重合材が、ユニット本体固定部と、縦重合部を有し、前記縦重合部が前記隙間調整材本体部の脱衣室側の面に少なくとも床面から前記建物垂れ壁下端までの長さ分重合するように、ユニット本体固定部がユニット本体に固定され、前記上重合材が、上重合材本体を有し、この上重合材本体が、前記建物垂れ壁の脱室側の面に受けられた状態でユニット本体の上端部に固定されていることを特徴としている。
【０００９】
本発明の間仕切り壁において、縦重合部と隙間調整材本体部の脱衣室側の面との間に緩衝材を備えていることが好ましい。
緩衝材は、縦重合部を隙間調整材本体部に重合させる前に縦重合部の隙間調整材本体部側の面に予め固着されていることが好ましい。
【００１０】
緩衝材としては、隙間調整材本体部と、縦重合材の縦重合部との間に介在して、ドアの開閉時等の衝撃を緩衝するとともに、隙間調整材本体部と、縦重合材の縦重合部との間をほぼ隙間のない状態に保つことができれば、特に限定されないが、ＥＰＤＭ発泡体、シリコーンゴム発泡体、ウレタン樹脂発泡体などの発泡体を用いることができる。
【００１１】
本発明の間仕切り壁は、特に限定されないが、上重合材の位置決めを容易に行えることから、建物垂れ壁の脱衣室側の面との間に上部開口を有する隙間を形成する受け金具を備えるとともに、前記上重合材の上重合材本体が、上重合部とこの上重合部の背面側に下方に延出する係合部を有し、この係合部が前記上部開口から隙間内に係合していることが好ましい。
【００１２】
本発明の間仕切り壁は、特に限定されないが、ユニット本体が、ドア枠部と、間仕切り枠部を有し、このドア枠部と間仕切り枠部が水平方向に隙間を形成するように立設され、方立材の方立本体部が、ドア枠部と間仕切り枠部に跨るように配置されるとともに、前記ドア枠部と間仕切り枠部の隙間に方立材の嵌合爪部が嵌着されて方立が形成されている構成としてもよい。
また、上記方立材は、方立本体部が、ユニットバス内への入退時の手掛かり部を有する脱衣室側に凸となる湾曲した横断面形状をしている構成とすることが好ましい。
【００１３】
本発明の間仕切り壁は、特に限定されないが、上重合材の位置決めを容易に行えることから、建物垂れ壁の脱衣室側の面との間に上部開口に隙間を形成する上重合材の受け金具を備えるとともに、前記上重合材の上重合材本体が、上重合部とこの上重合部の背面側に上重合材本体から下方に延出する下方に延出する壁当壁当接部接部を有し、この壁当接部が前記隙間内に上方から係合している構成としてもよい。
上記受け金具は、特に限定されないが、間仕切りユニットの荷重を受け金具でしっかり受けて強固に間仕切りユニットを固定状態とするとともに、間仕切りユニットから床にかかる荷重を軽減できることができることから、新ユニットバスのスタッドあるいはスタッド間を接続するユニットバスの横桟材に下端部が固定されていることが好ましい。
【００１４】
また、本発明の間仕切り壁は、ユニット本体が、少なくとも１つの枠部とこの枠部の内側を塞ぐように配置される面材を有し、前記枠部が、新しいユニットバスの防水パン上に立設されたスタッドおよびスタッド間を接続するとともに、横桟材のいずれかに固定されている構成とすることができる。
上記面材としては、ドア、脱衣室側の内壁や腰壁を形成する壁パネル、ガラス窓等が挙げられる。
【００１５】
また、間仕切り枠部は、特に限定されないが、枠に面材としての透明ガラス板がＦＩＸ（所謂、はめごろし窓）構造となったもの、枠に嵌着可能な脱衣室の内壁となる面材としての内壁パネルを着脱自在に設けたもの、上部枠部と下部枠部とを有し、上部枠部が前述のＦＩＸ構造となっていて、下部枠部が前記内壁パネルのように枠に腰壁パネルを着脱自在としたもの等のいろいろな形態をとることができ、面材の脱衣室側の面や浴室側の面あるいは両面に棚を取り付け可能になっていても構わない。
また、上記ＦＩＸとしては、透明ガラス、透明アクリルボード、すりガラス、乳白色の樹脂ボード、ステンドグラスなどを使用することができる。
【００１６】
本発明の間仕切り壁は、ユニット本体が、ドア枠部と、間仕切り枠部を有し、このドア枠部と間仕切り枠部が水平方向に隙間を形成するように立設され、前記ドア枠部と間仕切り枠部の隙間に方立材の嵌合爪部が嵌着されている構成とすることができる。
【００１７】
本発明にかかるリフォーム浴室の施工方法１（以下、「本発明の施工方法」と記す）は、本発明の間仕切り壁を備えたリフォーム浴室の施工方法であって、旧ユニットバスが収容されていたユニットバス収容空間を形成する周囲の建物壁のうち、浴室と脱衣室を仕切っていた既存間仕切り壁を除く部分を少なくとも非破壊状態で撤去する旧ユニットバス撤去工程と、前記旧ユニットバスを撤去することによって残った脱衣室と浴室との間を仕切っていた既存の間仕切り壁の下側を、前記既存の間仕切り壁に直交する脱衣室の両内壁とのコーナーに達するまで切除して建物垂れ壁を形成する垂れ壁形成工程と、旧ユニットバスよりサイズアップされた新しいユニットバスの脱衣室側への張り出し長さに応じて脱衣室の既存床の床材の浴室側端縁部を切断除去する床材切除工程と、新しいユニットバスの防水パンの脱衣室側端部が、前記床材切除工程で切除された部分に嵌り込んだ状態に施工する工程を含む新ユニットバス組立て工程と、前記建物垂れ壁と、間仕切りユニットを用いて間仕切り壁を形成する工程を備えていることを特徴としている。
【００１８】
また、  本発明にかかるリフォーム浴室の施工方法２（以下、「本発明の施工方法２」と記す）は、既存のユニットバスが収容されていたユニットバス収容空間を形成する周囲の建物壁のうち、浴室と脱衣室を仕切っていた既存間仕切り壁を除く部分を少なくとも非破壊状態で撤去する旧ユニットバス撤去工程と、前記既存のユニットバスを撤去することによって残った脱衣室と浴室との間を仕切っていた既存の間仕切り壁の下側を、前記既存の間仕切り壁に直交する脱衣室の両内壁とのコーナーに達するまで切除して建物垂れ壁を形成する垂れ壁形成工程と、前記ユニットバス収容空間に設置される新しいユニットバスの脱衣室側端に適合するように、脱衣室床をユニットバス収容空間側に拡張する床拡張工程と、新しいユニットバスの防水パンの脱衣室側端部が、床拡張工程で拡張された脱衣室床との間にドア枠設置空間を形成するように施工する工程を含む新ユニットバス組立て工程と、前記建物垂れ壁と、間仕切りユニットを用いて間仕切り壁を形成する間仕切り壁形成工程を備えていることを特徴としている。
【００１９】
本発明の施工方法１、２の場合、上記新ユニットバスは、洗い場パンおよび浴槽パンの長手方向が間仕切りユニットに対しそれぞれ垂直になるように配置されるものでも、洗い場パンおよび浴槽パンの長手方向が間仕切りユニットに対し平行かつ脱衣室側に洗い場パンが配置されるものでも構わない。
本発明の施工方法１の場合、前者では、旧ユニットバスに対し、洗い場パンおよび浴槽パンの両方が長手方向に長いものとなる。
一方、後者では、洗い場パンおよび浴槽パンの少なくともいずれかの短手方向の寸法が、旧ユニットバスより長いものとなる。
【００２０】
上記防水パンとは、洗い場パンと、浴槽パンの両方を意味する。そして、脱衣室側からみて洗い場パンと浴槽パンが左右に平行に配置されたユニットバスにおいては、新ユニットバスは、洗い場パンと浴槽パンのいずれもが脱衣室側にサイズアップされ、洗い場パンが脱衣室側に配置され、浴槽が洗い場より奥側に配置されるユニットバスにおいては、洗い場パンのみが脱衣室側にサイズアップされる場合も含まれる。
上記床材とは、床板だけでなく、根太や根太と根太との間に配設された断熱材としての発泡ポリスチレン板などを含む。
【００２１】
本発明の施工方法１，２は、特に限定されないが、間仕切りユニットを以下の手順で施工することができる。
すなわち、ユニット本体を、脱衣室側からみたとき、上端と建物垂れ壁との間およ幅方向の両側と前記脱衣室の両内壁との間に隙間を形成するように立設し、上下方向に長い板状をした隙間調整材本体部と、この隙間調整材本体部の幅方向の一側に設けられた壁固定部を有する隙間調整材を、脱衣室側からみたとき、前記隙間調整材本体部の他側縁と前記ユニット本体の前記内壁に向かう側面との間に隙間が形成されるように、前記壁固定部を前記内壁の浴室側端縁に沿って固定し、ユニット本体固定部と重合部を有する縦重合材を、前記重合部が前記隙間調整材本体部の脱衣室側の面に少なくとも床面から前記建物垂れ壁下端までの長さ分重合するように、前記ユニット本体固定部をユニット本体に固定したのち、上重合材本体を有する上重合材を、前記垂れ壁に背面側が受けられるとともに、前記垂れ壁とユニット本体との隙間を塞ぐようにユニット本体の上端部に固定する。
【００２２】
また、本発明の施工方法１においては、特に限定されないが、床材切除工程の前に床材の切除予定線より脱衣室側で前記切除予定線に沿うように、束石、鋼製束等の支持部材で支持された新たな大引きによって床材を下方から支えることが好ましい。すなわち、床材の一部を切除する際に床材が撓まず切除作業が容易になるとともに、間仕切りユニットを用いて間仕切り壁を形成した状態で、間仕切りユニットの荷重によって脱衣室側の床が撓んだりすることがないようにすることができる。
上記鋼製束等の支持部材は、床のレベル調整を容易に行えるようにアジャスト機能付きのものを用いることが好ましい。
【００２３】
本発明において、脱衣室とは、浴室に入る出入口が設けられた浴室の隣室を意味し、洗面室を兼ねるものも含む。
【発明の効果】
【００２４】
本発明の間仕切り壁は、上記のように、旧ユニットバスと前記脱衣室の既存の間仕切り壁を利用して形成された建物垂れ壁と、間仕切りユニットを用いて形成され、前記間仕切りユニットは、ユニット本体と、左右一対の隙間調整材と、上重合材と、左右一対の縦重合材を備え、前記ユニット本体が、脱衣室側からみたとき、前記建物垂れ壁との間および前記脱衣室の両内壁との間に隙間を形成するように立設され、前記隙間調整材が、上下方向に長い板状をした隙間調整材本体部と、この隙間調整材本体部の幅方向の一側に設けられた壁固定部を有し、前記隙間調整材本体部と前記ユニット本体の前記脱衣室の内壁に向かう側面との間に隙間が形成されるように、前記壁固定部が前記内壁の浴室側端縁に沿って固定され、前記縦重合材が、ユニット本体固定部と、重合部を有し、前記重合部が前記隙間調整材本体部の脱衣室側の面に少なくとも床面から前記建物垂れ壁下端までの長さ分重合するように、ユニット本体固定部がユニット本体に固定され、前記上重合材が、上重合材本体を有し、この上重合材本体が、前記建物垂れ壁の脱室側の面に受けられた状態でユニット本体の上端部に固定されている。
【００２５】
したがって、旧ユニットバスを取り除き、残った浴室と脱衣室との間仕切り壁の不要部分と脱衣室の床材の一部を切除するだけで、旧ユニットバスの間仕切り壁以外の周囲の建物壁と、脱衣室の内壁はまったく変更することなく、旧ユニットバスに比べ脱衣室側にサイズアップされた新ユニットバスを用いて容易に大きな浴室となるようにリフォームすることができる。
また、旧ユニットバスと同じ大きさの新しいユニットバスを旧ユニットバスと交換するとともに、旧脱衣室の床を拡張して大きな脱衣室を備えたものにリフォームすることができる。
【００２６】
そして、旧ユニットバスが収容されていた周囲の建物壁のうち、脱衣室と浴室とを仕切っていた既存の間仕切り壁の下端側を切除するだけで、取り壊しを最小限にすることができるとともに、切除部の端縁が間仕切りユニットによって隠れるので、修復、あるいは壁クロスの張替え等が不要になる。したがって、施工期間を短くできるとともに、施工コストを低く抑えることができる。
【図面の簡単な説明】
【００２７】
【図１】本発明の間仕切り壁の第１の実施の形態であって、その使用例を脱衣室側からみた図である。
【図２】図１の要部拡大斜視図である。
【図３】図１のＸ−Ｘ線断面図である。
【図４】図１のＹ−Ｙ線断面図である。
【図５】図３のドア枠部側拡大断面図である。
【図６】新ユニットバスの防水パンおよびドア枠部のドア下枠の設置状態を説明する断面図である。
【図７】図１のＹ−Ｙ線断面の縦重合材を取り付ける前の状態をあらわす断面図である。
【図８】縦重合材の取り付け前の状態を説明するドア枠部側拡大横断面図である。
【図９】図１の間仕切りユニットの腰壁枠部の枠部本体部分の拡大横断面図である。
【図１０】図９の枠部本体に腰壁パネルを取り付けた状態の断面図である。
【図１１】旧ユニットバス撤去前の状態を説明する断面図である。
【図１２】旧ユニットバスを撤去した状態を脱衣室側からみた図である。
【図１３】旧ユニットバスを撤去した状態を浴室側からみた斜視図である。
【図１４】既存の間仕切り壁の下側を切除し、建物垂れ壁を形成した状態を脱衣室側からみた図である。
【図１５】旧ユニットバス撤去後の脱衣室側の床加工および補強構造を説明する図である。
【図１６】補強構造の他の例を説明する概略図である。
【図１７】本発明にかかる間仕切り壁の第２の実施の形態であって、その上重合材部分の縦断面図である。
【図１８】図１７の間仕切り壁の間仕切り枠側の横断面図である。
【図１９】本発明にかかる間仕切り壁の第３の実施の形態であって、その横断面図である。
【図２０】図１９の間仕切り壁のドア枠部分の断面図である。
【図２１】図１９の間仕切り壁の仕切り壁部分の断面図である。
【図２２】図１９の間仕切り壁の上重合材部分の断面図である。
【図２３】図１９の間仕切り壁を用いた施工方向における床幅調整材を取り付けた状態を説明する図である。
【発明を実施するための形態】
【００２８】
以下に、本発明を、その実施の形態を参照して詳しく説明する。
図１〜図１０は、本発明の間仕切り壁の第１の実施の形態をあらわしている。
【００２９】
図１に示すように、この間仕切り壁Ａは、建物垂れ壁（以下、「垂れ壁」と記す）２２１と、間仕切りユニット１とから形成されている。
図１および図２に示すように、間仕切りユニット１は、ユニット本体２と、上重合材３ａと、左右一対の縦重合材４ａと、左右一対の隙間調整材５ａを備えている。
ユニット本体２は、ドア枠部６ａと、間仕切り枠部７と、方立材９ａを備えている。
【００３０】
そして、ユニット本体２は、図３に示すように、脱衣室２００側からみて、ドア枠部６ａと脱衣室２００の内壁である側壁２３０との間、および間仕切り枠部７と脱衣室２００の側壁２３０との間に隙間Ｓ１を形成し、図４に示すように、ドア枠部６ａおよび間仕切り枠部７上端と垂れ壁２２１との間に隙間Ｓ３を形成するように立設されている。
ドア枠部６ａは、ドア枠本体６１と、面材となるドア６２を備えている。
【００３１】
ドア枠本体６１は、例えば、アルミニウムあるいはアルミニウム合金等の押出型材を必要に応じて切断するとともに、ビス孔などを切削加工した図６に示すようにドア下枠６１ａと、図２に示すドア上枠６１ｂと、図３に示す左右のドア側枠６１ｃを組み立てて形成されている。
ドア下枠６１ａは、図６に示すように、防水パン８０２の端縁と、脱衣室２００の新規床２１１の端縁とに跨るように配置されている。
【００３２】
間仕切り枠部７は、図１に示すように、上部のＦＩＸ（嵌め殺し窓）枠部７ａと下部の腰壁枠部７ｂを備えている。
ＦＩＸ枠部７ａは、図３に示すように、中央に面材としての透明ガラス７２が装着されている。
ＦＩＸ枠部７ａは、ＦＩＸ枠本体７３がＦＩＸ枠固定ビス７１によって後述するコーナースタッド８３０およびセンタースタッド８４０に固定されている。
【００３３】
腰壁枠部７ｂは、図１０に示すように、腰壁枠部本体７７と、腰壁パネル７５と、係止金具７４を備えている。
腰壁枠部本体７７は、ＦＩＸ枠部７ａの下方に配置されるとともに、図示していないが、側壁が固定ビスを介してコーナースタッド８３０およびセンタースタッド８４０に固定されているとともに、ＦＩＸ枠部７ａ側からねじ込まれた固定ビスによって上端がＦＩＸ枠部７ａの下端に固定されている。
面材としての腰壁パネル７５は、係止金具７４によって腰壁枠部本体７７に着脱自在になっている。
係止金具７４は、金具固定ビス７４ａを介して腰壁枠部本体７７に固定されている。
【００３４】
方立材９ａは、図３に示すように、方立本体部９０ａと、嵌合爪部９０ｂを有し、嵌合爪部９０ｂが、ドア枠部６ａと、間仕切り枠部７との間に脱衣室２００側から嵌合されるとともに、ドア枠部６ａおよび間仕切り枠部７側からねじ込まれた方立材固定ビス９１によって固定されている。
【００３５】
隙間調整材５ａは、図３〜図５、図７〜１０に示すように、壁固定部５１と、隙間調整材本体部５２を備え、アルミニウムやアルミニウム合金製のアングル材にビス孔等を切削加工して得られる。
そして、隙間調整材５ａは、隙間調整材本体部５２と、ドア枠部６ａあるいは間仕切り枠部７との間に隙間Ｓ２が形成されるように、壁固定部５１が隙間調整材固定ビス５４を介して垂れ壁２２１を挟む脱衣室２００の側壁２３０の浴室側の端縁に沿って固定されている。
【００３６】
上重合材３ａは、アルミニウムあるいはアルミニウム合金の押出型材を切断するとともに、ビス孔などを切削加工して得られ、図４に示すように、上重合材本体３０と、受け金具３２を備えている。
上重合材本体３０は、上重合部３０ａと壁面当接部３０ｂを備えている。
上重合部３０ａは、上側の横辺部分が、下側の横辺部分より長い側面視略コの字形をしていて、コの字の下辺側が脱衣室２００側からＦＩＸ枠部７ａおよびドア枠６の上面に受けられて、上重合材本体固定ビス３０ｃによってＦＩＸ枠部７ａおよびドア枠６に固定されるようになっている。
【００３７】
壁面当接部３０ｂは、上重合部３０ａの背面側（垂れ壁２２１側）に横辺部分の先端から垂下されるように設けられていて、垂れ壁２２１に当接するとともに、垂れ壁２２１と受け金具３２との隙間３２ａ内に嵌り込んでいる。
受け金具３２は、アルミニウムあるいはアルミニウム合金の押出型材を切断するとともに、ビス孔などを切削加工して得られ、下端側がコーナースタッド８３０およびセンタースタッド８４０あるいはコーナースタッド８３０およびセンタースタッド８４０を連結するように設けられる天井パネル８６０の周縁を受ける横桟材８５０にビズ３２ｂによって固定されている。
【００３８】
縦重合材４ａは、アルミニウムあるいはアルミニウム合金の押出型材を切断するとともに、ビス孔などを切削加工して得られ、図３、図５、図１０に示すように、ユニット本体固定部４１と、縦重合部４２を備えている。
ユニット本体固定部４１は、縦重合部４２が脱衣室側からみて隙間調整材本体部５２と重なるとともに、緩衝材５３を介して隙間調整材本体部５２に受けられるように、ドア側枠６１ｃに縦重合材固定ビス４１ａによって固定されている。
【００３９】
つぎに、上記間仕切り壁２２０を用いたリフォーム浴室の施工方法を説明する。
すなわち、このリフォーム浴室は、以下のようにして施工されるようになっている。
【００４０】
（１）図１１に示す旧ユニットバス８００ａを、図１２および図１３に示すように、旧ユニットバス８００ａの周囲を囲っていた周囲の建物壁Ｗをそのまま残した状態で撤去する。図１１中、９００はドア下枠である。
（２）旧ユニットバス８００ａの撤去によって、図１２および図１３に示すように残った浴室側と脱衣室２００側とを間仕切り壁２２０の下側を、既存の間仕切り壁２２０に直交する脱衣室２００の両側壁２３０とのコーナーに達するまで切除して、図１４に示すように、天井２４０から間仕切りユニット１の設置に必要な長さ分だけ残して、他の部分を鋸等で全て切除し、垂れ壁２２１を形成する。
なお、間仕切り壁２２０を切除するにあたっては、図示していないが、残る垂れ壁２２１の下端位置より数ｍｍ程度上側で、前もって壁クロスに、カッターナイフ等によって間仕切り壁２２０の切除線に沿ってほぼ平行（後で上重合材３ａによって隠れるので正確に平行にする必要はない）な切れ目を入れてクロス（壁紙）を上下方向に切り離しておくことが好ましい。すなわち、間仕切り壁２２０の、垂れ壁２２１の残す部分以外を切除する際に切除される石膏ボードに付いてクロスが剥がれようとするが、クロスがカッターによる切り離しによって上下に縁切りされているので、縁切り部分より上側が剥がれることを防止することができる。
（３）図１５に示すように、脱衣室２００を構成する床２１０を切除予定線（図示せず）より脱衣室２００側で切除予定線に沿うように鋼製大引き６３０を設ける。
すなわち、鋼製大引き６３０は、脱衣室２００の床下のコンクリート床５００に間欠的束石６１０を設け、束石６１０上にそれぞれアジャスター付きの鋼製束６２０を設置して、下方から支持させる。
（４）脱衣室２００の床２１０の一部を新ユニットバス８００ｂの脱衣室２００側へのサイズアップ部分が床切除部２１２に入り込むように切除し、床切除部２１２を備えた床２１１を形成する。図１５中、２１３は根太である。
また、床下が図１６に示すように土間５０１である場合、防水シート５０２に切り込みを入れて紡水シート５０２を切れ込み部分でめくり、ハンマーなどで土間５０１を転圧してから、鋼板やセラミック板などの補強材５０３を設置し、鋼製束６２０を、防水シート５０２を介在させた状態で補強材５０３に支持されるように設置すればよい。
なお、鋼製大引き６３０や鋼製束６２０の床下への搬入は、脱衣室や脱衣室近傍に床下点検口がある場合は、床下点検口を介して行えばよいが、床下点検口が無い場合は、既存の大引き３００やその下方の基礎ブロック４００部分を一部切除し、旧ユニットバス８００ａを撤去した浴室側から、切除部分を介して行うようにすればよい。
（５）図１５に示すように、脱衣室２００の床２１０を鋼製大引き６３０に沿う前記切除予定線に沿って鋸やのみ等を用いて切断し、床切除部２１２を備えた新規床２１１を形成する。
（６）図６に示すように、新ユニットバス８００ｂの防水パン８０２を、その脱衣室２００側の端縁が床切除部２１２に嵌り込むように設置するとともに、図３、図５、図７〜図１０に示すように、コーナースタッド８３０およびセンタースタッド８４０を防水パン８０２上に立設する。
（７）図４に示すように、コーナースタッド８３０およびセンタースタッド８４０を横桟材８５０によって連結する。
（８）受け金具３２を、その上端部と垂れ壁２２１の脱衣室２００側の面との間に上側に開口した隙間３２ａを形成するように、下端部を横桟材８５０にビス３２ｂで固定する。
（９）図３、図５、図７〜図１０に示すように、間仕切りユニット１の左右の隙間調整材５ａの壁固定部５１を隙間調整材固定ビス５４によって垂れ壁部２２１を挟む脱衣室２００の側壁２３０に固定する。
（１０）図３、図７に示すように、ドア６２を外した状態で、コーナースタッド８３０およびセンタースタッド８４０にドア枠部６ａのドア枠本体６１を、ドア枠固定ビス６１ｅによって固定する。
（１１）方立材９ａの嵌合爪部９０ｂが嵌合される隙間をドア枠本体６１との間に形成するように、ＦＩＸ枠部７ａのＦＩＸ枠本体７３をＦＩＸ枠固定ビス７１によってコーナースタッド８３０およびセンタースタッド８４０に固定する。
（１２）図９に示すように、腰壁パネル７５および係止金具７４を取り外した状態で腰壁枠部本体７７をＦＩＸ枠部７ａの下側に設置し、腰壁枠部固定ビズ７８によってコーナースタッド８３０およびセンタースタッド８４０に固定するとともに、図示していないが、ＦＩＸ枠固定ビス７１で上端部をＦＩＸ枠部７ａの下端部に固定する。
なお、上記（６）〜（１２）は、必要に応じて順序を変えるようにしても構わない。
（１１）図３、図５に示すように、縦重合材４ａを、縦重合部４２の隙間調整材本体部５２側の面に緩衝材５３を貼着したのち、緩衝材５３を介在させた状態で隙間調整材本体部５２の面５２ａに縦重合部４２を受けさせた状態でユニット本体固定部４１を縦重合材固定ビス４１ａによってドア側枠６１ｃ（ＦＩＸ枠本体７３あるいは腰壁枠部本体７７）に固定する。
（１２）図４に示すように、上重合材３ａの壁面当接部３０ｂが隙間３２ａに嵌り込むように、上重合部３０ａを配置したのち、上重合部３０ａの下端をＦＩＸ枠部７ａ（およびドア枠部６ａ）に下方から受けさせ３０ｃによってＦＩＸ枠部７ａ（およびドア枠部６ａ）に固定する。
なお、上重合部３０ａの上端縁と垂れ壁２２１と間には必要に応じてシーリング材を充填するようにしても構わない。
（１３）図１０に示すように、腰壁枠部本体７７にビス７４ａによって係止金具７４を取り付ける。
（１４）図３に示すように、方立材９ａをドア枠部６ａと、間仕切り枠部７との隙間に嵌合したのち、ビス９１でドア枠部６ａおよび間仕切り枠部７に固定する。
（１５）図４および図１０に示すように、新ユニットバス８００ｂの壁パネル８２０および天井パネル８６０を取り付ける。
（１６）図１０に示すように、腰壁パネル７５を取り付ける。
（１７）図１に示すようにドア６２を取り付ける。
なお、図中、Ｓは目地材、２４０は天井、２５０は脱衣室２００の出入口ドア枠、２６０はドア、２７０は垂れ壁２２１が落下しないように必要に応じて設けられる補強金具である。
【００４１】
上記施工方法は、旧ユニットバス８００ａを撤去したのち、脱衣室２００と浴室とを仕切っていた既存の間仕切り壁２２０の下端側を切除して垂れ壁２２１を形成する以外は、ユニットバス収容空間を形成する周囲の建物壁Ｗをまったく非破壊状態とすることができる。しかも、脱衣室２００の側壁２３０や天井２４０も元の状態でよいので、旧ユニットバス８００ａに比べ脱衣室２００側にサイズアップされた新ユニットバス８００ｂと間仕切りユニット１とを用いれば、短工期（４日程度かかっていたものを２．５日程度）でかつ低コストで容易に大きな浴室にリフォームすることができる。
【００４２】
また、縦重合材４ａの縦重合部４２は、隙間調整材５ａの隙間調整材本体部５２に重ね合わせるだけあるので、重なり部分の位置や幅を自由かつ容易に変更することができる。
そして、１つの間仕切りユニット１で、脱衣室２００の側壁２３０間の距離が異なったり、新ユニットバス８００ｂの場合においても対応できる。
【００４３】
図１７および図１８は、本発明の間仕切り壁の第２の実施の形態をあらわしている。
この間仕切り壁は、図１７に示すように、間仕切り枠部７ｃの面材が内壁パネル７６になっている。
また、図１８に示すように、脱衣室２００の一方の側壁２３０がふかし壁になっていて、が、隙間調整材５ａがふかし壁を構成するコンクリート層（あるいは石膏ボード）２３０ａにアンカー５５を介して隙間調整材固定ビス５４をねじ込んで固定されている。なお、アンカー５５は、必要に応じて設ければよい。
【００４４】
そして、その他の構成は、上記第１の実施の形態と同様になっている。
したがって、第１の実施の形態と同様の構成部分は、第１の実施の形態と同じ符号を付している。
【００４５】
図１９〜図２２は、本発明の間仕切り壁を用いたリフォーム浴室の施工方法の第３の実施の形態をあらわしている。
この施工方法は、以下の述べる点を除き、上記第１の実施の形態の施工方法と同じになっている。したがって、上記第１の実施の形態と同様の構成部分については、第１の実施の形態と同様の符号を付している。
【００４６】
すなわち、図１９に示すように、この間仕切り壁ユニット１ｂは、縦重合材４ｂの固定部４６が、後述するように、脱衣室２００の床面積を旧脱衣室より浴室側に拡張できるように上記第１の実施の形態の縦重合材４ａの固定部４１よりユニットバス８００ｃ側に長く形成されている。
そして、縦重合材４ｂは、隙間調整材５ｂの固定部５６が隙間調整材固定ビス５４により固定されるとともに、発泡スチレン樹脂等の補強材５８を介在させた状態で、隙間調整材５ｂの隙間調整材本体部５７に縦重合部４６が緩衝材５３を介して重合されている。
【００４７】
一方の縦重合材４ｂは、固定部４６が、ドア枠部材６ｂのドア側枠６１に固定され、他方の縦重合材４ｂは、固定部４６が、仕切り枠部材７の腰壁枠部本体７７に固定されている。
また、方立材９ｂは、方立本体部９０ｃが脱衣室２００側に凸となるとともに、手掛かり部となる溝状の凹部９０ｄを有する断面湾曲形状をしている。
【００４８】
図２０に示すように、ドア枠部材のドア下枠６１ａは、後述する床補強材２８１を介して床延長材２８０にねじ７２０で固定され、図２１に示すように、間仕切り枠部７の下枠部７００は、床補強材２８１を介して床延長材２８０にねじ固定されている。
上重合材３ｂは、図２２に示すように、係合受部材３２が設けられておらず、上端は、壁面当接部３０ｂを垂れ壁２２１に当接させるだけになっている。
【００４９】
床幅調整材２８０は、第１の実施の形態と同様にして旧ユニットバス８００ａを取り除くとともに、垂れ壁２２１を形成したのち、図２３に示すように、接着剤あるいは釘等の固定手段によって脱衣室２００の床の浴室側の端面に接着剤あるいは釘等の固定手段によって固定されて、脱衣室２００の床面積を浴室側に拡張するようになっている。
なお、この実施の形態では、床幅調整材２８０が２枚重ね合わされているが、新しいユニットバスの大きさに応じて、枚数を変更する、あるいは、床幅調整材２８０の厚みを変更して床の拡張長さを適宜変更することができる。
【００５０】
図１９〜図２３中、７６は脱衣室の内壁パネル、２１１ａは旧脱衣室の床面を構成する化粧床材（クッションフロア、フローリング等）、２８１は床補強材、２８２は、床見切り材、２８３は床見切り材を固定する接着剤、７１０は内壁パネル７６の下端の支持する緩衝材、８０３は防水パンである。
床補強材２８１は、たとえば、ステンレス鋼、アルミニウムあるいはアルミニウム合金、プラスチック等で形成されている。
床見切り材２８２は、たとえば、ステンレス鋼、アルミニウムあるいはアルミニウム合金、プラスチック等で形成されていて、表面に凹凸を設けて滑り止め加工してもよい。
【００５１】
上記のように、この間仕切り壁ユニット１ｂを用いれば、建物躯体を改造することなく、ユニットバス８００ａを新しいユニットバス８００ｃに入れ替えることができるとともに、脱衣室２００を大きく拡張することができる。
また、上記のように方立材９ｂの方立本体部９０ｃが手掛かり部となる凹溝９０ｄを備えた断面湾曲形状をしているので、浴室への入退室時に凹溝９０ｄが手掛かり部となり、体を支えやすい。しかも、方立本体部９０ｃが断面湾曲形状をしており、角部がないため、方立本体部９０ｃの手触りがよい。
【００５２】
本発明は、上記の実施の形態に限定されない。たとえば、上記の実施の形態では、鋼製の束を用いていたが、他の金属製、コンクリート製、木製、プラスチック製、あるいは、これらを組み合わせても構わない。
上記の実施の形態では、内壁面がクロス被覆された脱衣室のリフォーム施工であったが、内壁面は、羽目板材で形成されていても構わない。
【００５３】
上記のフォーム浴室の施工方法の第２の実施の形態では、同じ大きさの新しいユニットバスと入れ替えるようにしていたが、旧いユニットバスを入れ替えず、ドア枠等を新しくするだけでも構わない。
【符号の説明】
【００５４】
Ａ  間仕切り壁
１ａ、１ｂ  間仕切りユニット
２ａ  ユニット本体
３ａ、３ｂ  上重合材
３０  上重合材本体
３０ａ  上重合部
３０ｂ  壁面当接部
３０ｃ  固定ビス
３２  係合受部材
３２ａ  隙間
３２ｂ  ビス
４ａ、４ｂ  縦重合材
４１  固定部
４１ａ  縦重合材固定ビス
４２、４６縦重合部
５ａ、５ｂ  隙間調整材
５１、５６    固定部
５２、５７  隙間調整材本体部
５２ａ  脱衣室側面
５３  緩衝材
５４  隙間調整材固定ビス
５５  アンカー
５８  補強材
６ａ、６ｂ  ドア枠部材
６１  ドア枠本体
６１ａ  ドア下枠
６１ｂ  ドア上枠
６１ｃ  ドア側枠
６１ｅ  ドア枠固定ビス
６２  ドア
７  仕切り枠部材
７ａ ＦＩＸ枠部
７ｂ  腰壁枠部
７ｃ  内壁枠部
７１  ＦＩＸ枠固定ビス
７２  透明板
７３  ＦＩＸ枠部本体
７４  係止金具
７５  腰壁パネル
７６  内壁パネル
７７  腰壁枠部本体
７８  腰壁枠部固定ビズ
７９  固定金具
９ａ、９ｂ  方立材
９０ａ、９０ｃ  方立本体部
９０ｂ  嵌合爪部
９０ｄ  凹溝（手掛かり部）
９１  方立材固定ビス
２００  脱衣室
２１０  床（脱衣室）
２１１  床
２１２  床切除部
２１３  根太
２２０  間仕切り壁
２２１  垂れ壁
２３０  側壁（脱衣室）
２３１  コンクリート層
２４０  天井（脱衣室）
２５０  建具
２６０  脱衣室出入口ドア
２７０  垂れ壁補強金具
２８０  床幅調整材
２８１  床補強材
２８２  床見切り材
２８３  接着剤
３００  既存大引き
４００  ブロック基礎
５００  コンクリート床
５０１  土間
５０２  防水シート
５０３  補強材
６１０  束石（支持部材）
６３０  鋼製大引き（支持部材）
６２０  鋼製束（支持部材）
７００  下枠部
７１０  緩衝材
７２０  ねじ
８００ａ  旧ユニットバス
８００ｂ、８００ｃ  新ユニットバス
８０１  防水パン（旧ユニットバス）
８０２、８０３  防水パン（新ユニットバス）
８２０  壁パネル
８３０  コーナースタッド
８４０  センタースタッド
８５０  横桟材
８６０  天井パネル
Ｗ  建物壁
Ｓ  目地材
Ｓ１  隙間
Ｓ２  隙間
Ｓ３  隙間
【図１】
2015206257.tif 000003
【図２】
2015206257.tif 000004
【図３】
2015206257.tif 000005
【図４】
2015206257.tif 000006
【図５】
2015206257.tif 000007
【図６】
2015206257.tif 000008
【図７】
2015206257.tif 000009
【図８】
2015206257.tif 000010
【図９】
2015206257.tif 000011
【図１０】
2015206257.tif 000012
【図１１】
2015206257.tif 000013
【図１２】
2015206257.tif 000014
【図１３】
2015206257.tif 000015
【図１４】
2015206257.tif 000016
【図１５】
2015206257.tif 000017
【図１６】
2015206257.tif 000018
【図１７】
2015206257.tif 000019
【図１８】
2015206257.tif 000020
【図１９】
2015206257.tif 000021
【図２０】
2015206257.tif 000022
【図２１】
2015206257.tif 000023
【図２２】
2015206257.tif 000024
【図２３】
2015206257.tif 000025